Podtech/llm-jp-corpus-v4-ja_patent huggingface dataset:
(57)【要約】【課題】鉛直方向の振動エネルギーを好適に減衰させることが可能な制振装置を提供する。【解決手段】軸線Ｏ１方向を鉛直方向に向け、上方の部材と下方の部材の一方の部材に一端部１ａを接続して配設される十字型プレート１と、上方の部材と下方の部材の他方の部材に一端部２ａを接続し、十字型プレート１と互いの板面が対向するように上下方向に延設されるとともに十字型プレート１の板面との間に粘弾性体３を介装して配設される複数の外側プレート２とを備える。【選択図】図１
2019105129.tif 000002
【特許請求の範囲】
【請求項１】
軸線方向を鉛直方向に向け、上方の部材と下方の部材の一方の部材に一端部を接続して配設される十字型プレートと、
前記上方の部材と前記下方の部材の他方の部材に一端部を接続し、前記十字型プレートと互いの板面が対向するように上下方向に延設されるとともに前記十字型プレートの板面との間に粘弾性体を介装して配設される複数の外側プレートとを備えて構成されていることを特徴とする制振装置。
【発明の詳細な説明】
【技術分野】
【０００１】
本発明は、制振装置に関する。
【背景技術】
【０００２】
従来、マンションやオフィスビルなどの多層構造の建物では、建物内に設置した制振ダンパーによって、地震時に作用した地震エネルギー（振動エネルギー）を吸収して減衰させ、建物の応答を低減させるようにしている。また、このような制振ダンパーには、鋼材等の降伏耐力やすべり材の摩擦抵抗を利用した履歴系ダンパー、粘性体の粘性抵抗を利用したオイルダンパーなどの粘性系ダンパー、粘弾性体のせん断抵抗を利用した粘弾性系ダンパーが多用されている。
【０００３】
また、Ｈ形鋼などの上下の制振間柱間に、一方の制振間柱に端部を固定した内鋼板と他方の制振間柱に端部を固定した外鋼板とを交互に積層するとともに、隣り合う内鋼板と外鋼板の間に粘弾性体を介装／挟持してなる粘弾性ダンパーを設け、上下の制振間柱と上下の梁との間に斜材である方杖を設けた制振構造が提案、実用化されている（例えば、特許文献１、特許文献２、特許文献３参照）。
【先行技術文献】
【特許文献】
【０００４】
【特許文献１】特開２００５−３１４９１７号公報
【特許文献２】特開２００２−００４６３４号公報
【特許文献３】特開平１０−１４０８７３号公報
【発明の概要】
【発明が解決しようとする課題】
【０００５】
しかしながら、一般に制振ダンパーは水平方向の振動エネルギーを減衰させるように設けられており、鉛直方向に作用する制振装置は非常に少ないのが現状である。例えば、はね出し長さの大きい架構などにおいては鉛直方向の振動を制御することが求められており、鉛直方向の振動を制御することが可能な制振装置が強く望まれていた。
【０００６】
本発明は、上記事情に鑑み、鉛直方向の振動エネルギーを好適に減衰させることが可能な制振装置を提供することを目的とする。
【課題を解決するための手段】
【０００７】
上記の目的を達するために、この発明は以下の手段を提供している。
【０００８】
本発明の制振装置は、軸線方向を鉛直方向に向け、上方の部材と下方の部材の一方の部材に一端部を接続して配設される十字型プレートと、前記上方の部材と前記下方の部材の他方の部材に一端部を接続し、前記十字型プレートと互いの板面が対向するように上下方向に延設されるとともに前記十字型プレートの板面との間に粘弾性体を介装して配設される複数の外側プレートとを備えて構成されていることを特徴とする。
【発明の効果】
【０００９】
本発明の制振装置においては、優れた鉛直振動の減衰効果を得ることができる。
【図面の簡単な説明】
【００１０】
【図１】本発明の一実施形態に係る制振装置を示す正面図である。
【図２】図１のＸ１−Ｘ１線矢視図であり、本発明の一実施形態に係る制振装置の断面図である。
【図３】図１のＸ２−Ｘ２線矢視図であり、本発明の一実施形態に係る制振装置の断面図である。
【図４】本発明の一実施形態に係る制振装置の優位性を示す図である。
【発明を実施するための形態】
【００１１】
以下、図１から図４を参照し、本発明の一実施形態に係る制振装置について説明する。
【００１２】
本実施形態の制振装置は、例えば、建物（構造物）の架構の上方の部材と下方の部材の間に設置され、鉛直方向の振動エネルギーを好適に減衰させるための制振装置である。
【００１３】
具体的に、本実施形態の制振装置Ａは、図１から図３に示すように、軸線Ｏ１方向を鉛直方向に向け、上方の部材（不図示）と下方の部材（不図示）の一方の部材に一端部１ａを接続して配設される芯材としての十字型プレート１と、上方の部材と下方の部材の他方の部材に一端部２ａを接続し、十字型プレート１と互いの板面が対向するように上下方向Ｏ１に延設され、且つ十字型プレート１の板面との間に粘弾性体３を介装して配設される複数の外側プレート２とを備えて構成されている。
【００１４】
また、外側プレート２は、十字型プレート１の軸線Ｏ１を中心として四方に延びる４つの板部のそれぞれの板面の両面（一面及び他面）との間に粘弾性体３を介装して配設されている。すなわち、本実施形態の制振装置Ａは、１つの十字型プレート１と、８枚の平板状の外側プレート２を備えて構成されている。
【００１５】
なお、８枚の外側プレート２は、一端部２ａ側を接続するとともに他方の部材に一体に接続して設けられている。また、十字型プレート１、外側プレート２の一端部１ａ、２ａを一方の部材、他方の部材にそれぞれ接続する手段としては、例えば、取付けブラケット４、スプライスプレート５、フィラープレート６を用いる等、適宜選定すればよい。
【００１６】
そして、上記構成からなる本実施形態の制振装置Ａにおいては、十字型プレート１と外側プレート２の間に粘弾性体３が挟み込まれていることにより、地震などによって建物に振動エネルギーが作用し、上方の部材と下方の部材との間に相対的な鉛直方向の変位が生じると、十字型プレート１と、外側プレート２とがそれぞれ鉛直方向に相対変位し、粘弾性体３が変形する。
【００１７】
このとき、粘弾性体３が例えばその変形によって振動エネルギーを熱に変えて吸収するなどし、鉛直方向の振動を減衰させることが可能になる。
【００１８】
また、芯材を十字型に形成したことにより、水平方向の層間変形に対し、粘弾性体３が変形することを防止することが可能になる。
【００１９】
よって、本実施形態の制振装置Ａにおいては、図４に示すように、鉛直方向の振動エネルギーを好適に減衰させることができ、これを設置した建物などに優れた鉛直振動の減衰性能を付与することが可能になる。
【００２０】
以上、本発明に係る制振装置の一実施形態について説明したが、本発明は上記の一実施形態に限定されるものではなく、その趣旨を逸脱しない範囲で適宜変更可能である。
【符号の説明】
【００２１】
１    十字型プレート
１ａ    一端部
２      外側プレート
２ａ    一端部
３      粘弾性体
４      取付けブラケット
５      スプライスプレート
６      フィラープレート
Ａ      制振装置
Ｏ１    軸線
【図１】
2019105129.tif 000003
【図２】
2019105129.tif 000004
【図３】
2019105129.tif 000005
【図４】
2019105129.tif 000006
(57)【要約】【課題】  高所で照明器具とパイラック組合わせてＨ鋼に取り付ける作業は手間がかかり、パイラックを落下させたり危険であった。【解決手段】  照明器具にアームを取付け、アームの中央に吊り金具取付用の穴を設け、この穴に吊り金具を取付け、照明器具と吊り金具を一体化して、直接Ｈ鋼に取付けることができようにした。【選択図】図１
2019117779.tif 000002
【特許請求の範囲】
【請求項１】
照明器具にアームを取付け、アームの中央に吊り金具取付け用の穴を設け、この穴に吊り金具を取付け、照明器具と吊り金具を一体化した照明器具。
【発明の詳細な説明】
【技術分野】
【０００１】  本発明は、高所に取付ける照明器具の構造に関するものである。
【背景技術】
【０００２】  従来、照明器具を高所の天井に取り付けるときは直接ボルト、ナットで固定したり、パイラックなどを使用していたが、Ｈ鋼に取り付けるときは殆どパイラックを使用していた。
【発明の開示】
【発明が解決しようとする課題】
【０００３】  しかし、高所で照明器具とパイラック組合わせてＨ鋼に取り付ける作業は手間がかかり、パイラックを落下させたり危険であった。
【課題を解決するための手段】
【０００４】  前記問題点を解決するため、本発明は照明器具にアームを取付け、アームの中央に吊り金具取付け用の穴を設け、この穴に吊り金具を取付け、照明器具と吊り金具を一体化して、直接Ｈ鋼に取付けることができようにした。
【発明の効果】
【０００５】  本発明によれば、照明器具と吊り金具を一体化しているため、器具の取付が簡単になり、作業性がアップし、パイラックのような小物部材を落下させる危険性がなくなった。
【発明を実施するための最良の形態】
【０００６】  以下、図面に基づき本発明の実施の形態を説明する。【０００７】  図１は、本発明の実施例を示す吊り金具を一体にした照明器具の平面図である。【０００８】  照明器具１にはアーム２が取り付けられていて、このアーム２の中央部に設けられた穴に吊り金具３が取付けられ、照明器具と一体化されている。図２は吊り金具３をアーム２の中央の穴にボルトナットで取付けた図である。
この器具をＨ鋼に取り付けるには吊り金具３の開口部をＨ鋼に挟み、吊り金具３のボルトを締め付けるだけで簡単に取り付けることができ、従来のようにパイラックを落下させることもなく、作業の効率化と安全が図れる。
【図面の簡単な説明】
【０００９】
【図１】本発明の実施例を示す吊り金具を一体にした照明器具の平面図。
【図２】本発明の実施例を示す器具アームに吊り金具を取付けた部分図。
【符号の説明】
【００１０】  １・・・照明器具          ２・・・吊り金具を取り付けるアーム
３・・・吊り金具
【図１】
2019117779.tif 000003
【図２】
2019117779.tif 000004
(57)【要約】【課題】インテリアとして装飾されるステンドグラスは、光がステンドグラスの表裏双方向から透過しなければ、美しさは実現し難い。表札の装着は壁面となるため、ステンドグラスの裏面からの光の透過がなく、美しさを実現できない。また、表札は、外からの目視で家を特定させるという役割上、外構設置とならざるを得ないため、ステンドグラスは、色褪せ、経年劣化が進むうえ、耐久性にもかける。【解決手段】光を通さなくても、一方からの光で美しく輝かせるため、ステンドグラスの背面に鏡を用いた。これによりステンドグラスの表面に入射した光がステンドグラスの背面の鏡に届き、その光が鏡で反射してステンドグラスの裏面から入射することで、美しく輝く表札を実現した。鏡、ステンドグラス、強化ガラスの三層構造は「強固さ」を実現し、更にそれを防錆部材の鉛を配合したアルミニウム合金フレームで取り付けることで、表札としての「耐久性」をも実現した。【選択図】図１
2019117416.tif 000002
【特許請求の範囲】
【請求項１】
ステンドグラスの背面に鏡を用いて、光を通さなくても、一方からの光で美しく輝かせるステンドグラスを基調にした表札。
【請求項２】
構造は、鏡、ステンドグラス、強化ガラスの順とした「三層構造」で、その３枚の合わせは、金属性のアルミ線を含んだゴム製のブチルテープでシーリングしたことで密封状態を保持し、破損、経年劣化、結露を防いだ表札。
【請求項３】
色つきガラス個々の縁を削って磨き上げる「面取りガラス」を採用したことで、入射光と反射光を屈折させて輝きを増幅した表札。
【請求項４】
表面の強化ガラスの裏側に、表札の名前を彫刻、もしくは焼付塗装、もしくはペイントを施すことで、外部環境において、名前部分のダメージを受けない表札。
【発明の詳細な説明】
【技術分野】
【０００１】  本発明は、光を通さなくても、美しさと輝きを実現した、ステンドグラスを基調にした表札に関するものである。
【背景技術】
【０００２】  ステンドグラスの美しさと輝きは、ステンドグラス表裏の両面双方から光が透光することで実現している。日中であっても、光が双方から入射しなければ、ステンドグラスの美しさ、輝きは得られない。ステンドグラス２（図１）の背面に鏡１（図１）を用いたことで、ステンドグラスに入射した光が通過した後、ステンドグラス２（図１）の背面の鏡に届いた光が、もう一度、ステンドグラス２（図１）の裏面から入射することで、表裏双方からの光の透光を可能にし、ステンドグラスを美しく輝かせることを実現した。【０００３】  さらにステンドグラスは、窓、ドア等のインテリア装飾に用いられるが、表面を強化ガラス３（図１）で覆ったことで、ステンドグラスのデザインを成す金属のケーム部分６（図１）、及び色ガラスへのダメージ、経年劣化を防いでいる。【０００４】  構造は、最背面に鏡１（図１）、真ん中にステンドグラス２（図１）、表面に強化ガラス３（図１）とした「三層構造」で、その３枚の合わせは、金属性のアルミ線を含んだゴム製のブチルテープ７（図１）でシーリングし、密封状態を保持し続ける。【０００５】  表札は、外構部分に設置されるので、外部環境に耐え得る耐久性が必要であるが、「三層構造」により、「強固さ」、「耐久性」を実現した。更に、「結露」も防ぐので、ステンドグラス本来の美しさ、輝きを遮らない。【０００６】  表札の名前自体も、表面の強化ガラスの裏面に彫刻、もしくは焼付塗装、もしくはペイントするので、劣化、ダメージを受けない。
【発明の概要】
【０００７】  インテリアとして装飾されるステンドグラスは、光がステンドグラスの表裏双方向から透過しなければ美しさは実現し難く、外構部に取り付けられる表札には適していない。また、ステンドグラスは、美しさ、輝きを実現するため、色ガラスのピースを一つ一つケームという金属で繋ぎ合わせたものであるが、その材質と構造から、外部の風雨等を直接的に受ける環境下においては、破損の懸念及び経年劣化は避けられない。
【０００８】  本発明は、ステンドグラス２（図１）の背面に鏡を用いたことで、光が両方から通らなくても、鏡の反射を利用して一方向からの光で、ステンドグラスの美しさと輝きを実現したものである。更に、構造を、最背面に鏡１（図１）、真ん中にステンドグラス２（図１）、表面に強化ガラス３（図１）とした「三層構造」にしたことと、その３枚の合わせに、金属性のアルミ線を含んだゴム製のブチルテープ７（図１）を用いてシーリングしたことで、破損の懸念、経年劣化を防ぐと共に、結露をも防ぐことを実現した。
【図面の簡単な説明】
【０００９】
【図１】  本発明に係るステンドグラスの背面に鏡を用い、更に強化ガラスで覆う斜視図である。
【図２】  ステンドグラスを用いた表札を取り付けるフレームの斜視図である。
【発明を実施するための形態】
【００１０】図１が図２に組み込まれて設置される。図１は、最背面に鏡１（図１）、真ん中にステンドグラス２（図１）、表面に強化ガラス３（図１）とした「三層構造」のもので、図２が、その取り付け用のフレーム８（図２）である。
【符号の説明】１  鏡
２  ステンドグラス
３  強化ガラス
４  面取りガラス
５  表札の名入れ部分
６  ケーム
７  ブチルテープ
８  フレーム
【図１】
2019117416.tif 000003
【図２】
2019117416.tif 000004
(57)【要約】【課題】  従来の技術としては、加熱室内に複数の線材よりなる棚を設け、当該棚の少なくとも下方にヒーターを配置し、前記棚の上面に模様板を設けたオーブントースターにおいて、当該模様板における中抜き部分を横切る前記線材を除去するものである。【解決手段】  オーブントースター内に入れてホットサンドを作るための器具であって、サンドイッチを置く、基台と、この基台の両側に、少なくとも一側が支持軸にて摺動自在に作業する係止溝を形成した固定枠を設けると共に、この固定枠間に取り付ける押圧枠を設けてなる。【選択図】図１
2019117041.tif 000002
【特許請求の範囲】
【請求項１】
オーブントースター内に入れてホットサンドを作るための器具であって、サンドイッチを置く基台と、この基台の両側に、少なくとも一側が支持軸にて摺動自在に作業する係止溝を形成した固定枠を設けると共に、この固定枠間に取り付ける押圧枠を設けてなることを特徴とするオーブントースター用ホットサンド器具。
【請求項２】
前記固定枠には、２箇所以上の係止溝を設け、支持軸を前記固定枠の下端部に設けてなることを特徴とする請求項１記載のオーブントースター用ホットサンド器具。
【請求項３】
前記基台及び前記押圧枠が、網目状であることを特徴とする請求項１又は２記載のオーブントースター用ホットサンド器具。
【請求項４】
前記基台と押圧枠に模様体を設けてなることを特徴とする請求項１、２又は３記載のオーブントースター用ホットサンド器具。
【発明の詳細な説明】
【技術分野】
【０００１】  従来の技術としては、加熱室内に複数の線材よりなる棚を設け、当該棚の少なくとも下方にヒーターを配置し、前記棚の上面に模様板を設けたオーブントースターにおいて、当該模様板における中抜き部分を横切る前記線材を除去するがある。（特許文献１参照）【０００２】  また、別の従来の技術としては、ヒーターの間に扉の開閉に連動して前後移動する焼き網を設けてなるオーブントースターにおいて、前記焼き網の移動経路が後部において高く前部において低く設定されており、当該焼き網の上部に模様を打ち抜いた模様板を配置し、当該模様板の後部を前記焼き網の後部に回動自在に軸支するとともに、当該模様板の側縁を前記ケースの内側面に突設された突起に摺動自在に支持し、扉の開閉に連動して前後移動すると共に、前記突起の作用で模様板が焼き網に対して前部が上方に回動せしめるがある。（特許文献２参照）
【先行技術文献】
【特許文献】
【０００３】
【特許文献１】特開２００１−２０１０６１号公報
【特許文献２】特開２０００−５０７９号公報
【発明の概要】
【発明が解決しようとする課題】
【０００４】  上記前者は、パンをオーブントースターの下面に設置し、片面にキャラクター等の焼目をつけるもので、本発明のような、サンドイッチの両面に焼き目をつけることはできない。【０００５】  上記後者は、オーブントースター内に焼き網と模様板にてパンを押圧する形態ですが、本発明のような両側で挟持する形態ではなく、かつ、従来技術はオーブントースター内に一体に設けてなるものである。【０００６】  本発明は、このような従来の構成が有していた問題を解決しようとするもので、基台と固定枠と押圧枠との構成により、色々な厚みのサンドイッチを均一に押圧して、パンの両面に焼き目をつけることのできるオーブントースター用ホットサンド器具を提供することを目的とする。
【課題を解決するための手段】
【０００７】  本発明は、上記目的を達成するために、オーブントースター内に入れてホットサンドを作るための器具であって、サンドイッチを置く、基台と、この基台の両側に、少なくとも一側が支持軸にて摺動自在に作業する係止溝を形成した固定枠を設けると共に、この固定枠間に取り付ける押圧枠を設けてなること。前記固定枠には、２箇所以上の係止溝を設け、支持軸を前記固定枠の下端部に設けてなること。前記基台及び前記押圧枠が、網目状であること。前記基台と押圧枠に模様体を設けてなることを特徴とする。
【発明の効果】
【０００８】１）、基台の少なくとも１側に設けた係止溝を形成固定枠に摺動自在に設けることにより    、厚みの異なるサンドイッチをホットサンドに加工できる。
２）、基台と押圧枠が過熱されることにより、焼目がつくと共に、模様体により色々なデ    ザインの焼目を楽しむことができる。
３）、手持ちのオーブントースターに使用できる。
４）、均一にサンドイッチを押圧することにより、焼目等が均一になる。
【図面の簡単な説明】
【０００９】
【図１】  本発明の一実施例を示すオーブントースター用ホットサンド器具の正面図。
【図２】  本発明の一実施例を示すオーブントースター用ホットサンド器具の平面図。
【発明を実施するための形態】
【００１０】  １は、オーブントースター用ホットサンド器具である。
２は、基台で、方形状の枠内を網目状に形成してある。
また、４隅に半円弧状の取付け部２ａを設けてある。
３は、基台２の両側に設けてなる固定枠で、平板を折曲して内側水平方向に係止溝３ａ    ――（この実施例の場合、片側３箇所）を形成すると共に、下端４隅に前記取付け部    ２ａ―――に取り付ける支持軸３ｂを突設してあり、摺動自在にしてある。
４は、前記係止溝３ａ―――に取り付ける押圧枠で、方形状の枠内を網目状に形成して    ある。
なお、材質は鉄製やステンレス製等で、熱伝導が良いものが望ましい。
【００１１】  前記オーブントースター用ホットサンド器具１の使用例について説明する。
まず、オーブントースター用ホットサンド器具１の基台２上にサンドイッチＳを置き、一方の固定枠３を立て、適当な係止溝３ａに押圧枠４の一端面を差し込み、適当な圧力（手で）で押圧枠４を押え、押圧枠４の他端面を他方の固定枠３を立て、適当な係止溝３ａに差し込む。
この状態で、オーブントースター（図示せず）内に入れ、加熱することにより、ホットサンドを作ることができ、パンの表面裏面に網目（模様）の焼目をつけることもできる。
【００１２】  前記実施例において、基台・固定枠・押圧枠の大きさ、形状等は必要に応じて決めればよい。
また、固定枠は一方を固定してもよい。
さらに、係止溝の数も必要に応じて決めればよい。
【符号の説明】
【００１３】１―――オーブントースター用ホットサンド器具
２―――基台
２ａ――取付部
３―――固定枠
３ａ――係止溝
３ｂ――支持軸
４―――押圧枠
Ｓ―――サンドイッチ
【図１】
2019117041.tif 000003
【図２】
2019117041.tif 000004
(57)【要約】      （修正有）【課題】近代的な宇宙船を作る。【解決手段】ＦＸ（フェニックス）に超可変翼が二つずつ付いたＳＳＦＸ（スーパースーパーフェニクス）は、ＵＦＯの原理で浮き、ホーバの原理で進み、核融合プラズマで進む。【選択図】図１
2019041563.tif 000002
【特許請求の範囲】
【請求項１】
ＵＦＯの原理で浮いてホーバー（ヘイバー）の原理で進み補助の核融合プラズマロケットで進む
【請求項２】
ＵＦＯの−−−マイナスマイナスマイナスこれを電気パネルに組み込んであって
あとホーバー（ヘイバー）の−−−＋マイナスマイナスマイナスプラスで時速２００キロ位の速さが出
あとは核融合プラズマで速さ６４０ｋｍ位のスピードが出る
パフォーマンスバイエランエランエランエラン
イメージドバイＲＸＸフィード
【発明の詳細な説明】
【技術分野】
【０００１】ＵＦＯとホーバー（ヘイバー）と核融合プラズマで進む
【背景技術】
【０００２】ＵＦＯヘイバーシャトル
【先行技術文献】
【特許文献】
【０００３】
【特許文献１】ＵＦＯの原理で浮きホーバー（ヘイバー）のエンジンと核融合プラズマで進む
【特許文献２】
【非特許文献】
【０００４】アメリカのシャトルソビエトのシャトルフスキー
【非特許文献１】
【非特許文献２】
【発明の概要】
スーパースーパフェニックス不死鳥宇宙船ホーバー（ヘイバー）
【発明が解決しようとする課題】【スーパースーパーフェニックス不死鳥宇宙船（ホーバー（ヘイバー））
【課題を解決するための手段】ＵＦＯの原理で浮きホーバー（ヘイバー）と核融合プラズマで進む
【発明の効果】
【近代的な宇宙船】
【図面の簡単な説明】
【図１】操縦席があり本体ＵＦＯに羽が二つありそれにホーバー（ヘイバー）のエンジンが三基つき両翼に核融合プラズマが一基ずつ計二基ついている
【図２】どのように核融合プラズマで燃料タンクのスペースをとらない固体水素を使うことを考えた
2019041563.tif 000003
【実施例】なし
【図１】
2019041563.tif 000004
【図２】
2019041563.tif 000005
(57)【要約】      （修正有）【課題】様々なサイズの猫用爪研ぎ具を固定させることが出来る固定具の提供。【解決手段】固定具１は長さ調整器３を有し、長さ調整器のボルト５を回転させることで、すべり止め９を設置した押さえ板８を移動させ、固定具内にも設置されたすべり止め１０と挟み込むことで様々な長さの猫用爪研ぎ具２を固定することを特徴とする。【選択図】図１
2019041667.tif 000002
【特許請求の範囲】
【請求項１】
上面開放状の固定具（１）内に爪研ぎ具本体（２）を収容し、固定具に設置された長さ調整器（３）によって前記爪研ぎ具本体を固定することを特徴とする固定具。
【請求項２】
前記長さ調整器は、固定具側面（４）を貫通させた1本のボルト部材（５）およびナット（６）と回転させ得るハンドルノブ（７）、押さえ板（８）で構成され、ハンドルノブを回転させることによりボルト部材を押し込み、押さえ板を移動させることで爪研ぎ具本体を固定させることを特徴とする請求項１に記載の固定具。
【請求項３】
前記押さえ板は爪研ぎ具本体と接する面にすべり止め（９）を設置し、前記固定具内に設置されたすべり止め（１０）とで爪とぎ具を挟み込み固定することを特徴とする請求項２に記載の固定具
【発明の詳細な説明】
【技術分野】
【０００１】
本発明は、様々なサイズの猫用爪研ぎ具を固定できる固定具に関するものである。
【背景技術】
【０００２】
猫用爪研ぎ具を購入する場合、同時に専用の固定具をセットで購入することが多い。
【０００３】
しかし、詰め替え用の猫用爪研ぎ具はメーカー各社より様々なサイズのもの（概ね長さ４５cm〜５０cm、高さ２，５cm〜５、５cm、幅１０cm〜１３cm、）があり、猫との相性が良くないなどの理由で、異なるメーカーの猫用爪研ぎ具をあらたに購入したい場合などはすでに購入済の固定具とサイズが合わず、固定具も買い直すということがおこりえた。
【発明の概要】
【発明が解決しようとする課題】
【０００４】
解決しようとする問題点は、様々なサイズの猫用爪研ぎ具を固定させることが難しかった点である。
【課題を解決するための手段】
【０００５】
本発明は、上面開放状の固定具（１）内に爪研ぎ具本体（２）を収容し、固定具に設置された長さ調整器（３）によって前記爪研ぎ具本体を固定することを特徴とする固定具。
【０００６】
前記長さ調整器は、固定具側面（４）を貫通させた1本のボルト部材（５）およびナット（６）と回転させ得るハンドルノブ（７）、押さえ板（８）で構成され、ハンドルノブを回転させることによりボルト部材を押し込み、押さえ板を移動させることで爪研ぎ具本体を固定させることを特徴とする請求項１に記載の固定具。
【０００７】
前記押さえ板は爪研ぎ具本体と接する面にすべり止め（９）を設置し、前記固定具内に設置されたすべり止め（１０）とで爪とぎ具を挟み込み固定することを特徴とする請求項２に記載の固定具
【発明の効果】
【０００８】
本発明の固定具は、ボルトを回す事で長さの調節ができる調節器を備えているため、一般に市販されている様々なサイズの猫用爪研ぎ具を固定できるという利点がある。
【図面の簡単な説明】
【０００９】
【図１】本発明の猫用爪研ぎ具の固定具の平面図である。
【図２】本発明の猫用爪研ぎ具の固定具の斜視図である。
【実施例】
【００１０】
図１は本発明の猫用爪研ぎ具の固定具の平面図、図２はその斜視図である。一般に市販されているサイズ（概ね長さ４５cm〜５０cm、高さ２，５cm〜５、５cm、幅１０cm〜１３cm、）の爪研ぎ具本体（２）を収納できる上面開放の箱に、長さ調整器（３）と、すべり止め（９）を付けた押さえ板（８）を設置しており、また爪研ぎカスを収容できるスペースを持つ。長さ調整器はハンドルノブ（７）を回転させることでボルト部材（５）を押し込み、押さえ板を移動させることができる。固定具本体（１）内にもすべり止め（１０）が設置されており、押さえ板のすべり止めとで挟み込むことにより爪研ぎ具本体を固定することができる。
【符号の説明】
【００１１】
１  猫用爪研ぎ具の固定具本体
２  猫用爪研ぎ具本体
３  長さ調整器
４  固定具側面
５  ボルト部材
６  ナット
７  ハンドルノブ
８  押さえ板
９  すべり止め
１０  すべり止め
【図１】
2019041667.tif 000003
【図２】
2019041667.tif 000004
(57)【要約】【課題】草刈り時の雑草等の絡みつき防止と切れ味に優れ、刈払い機のエンジンへの負荷を軽減させるとともに、経済的な草刈り用チップソーを提供すること。【解決手段】刈払機への取付け穴が穿設された円板状の台金の外周縁部に、所定間隔で形成された複数のチップ取付け部を有するチップソーにおいて、前記チップ取付け部は直線状の前傾と直線状の後傾を備え、前記前傾と前記後傾とが交わる前記チップ取付け部の頂点近くの前記前傾にチップが固着され、前記前傾と前記前傾が形成された前記外周縁部との角度が９０度未満であり、さらに、前記チップ取付け部の前記後傾側には鋸刃状に複数の刃が連接形成されている草刈り用チップソーである。【選択図】図１
2019041693.tif 000002
【特許請求の範囲】
【請求項１】
刈払機への取付け穴が穿設された円板状の台金の外周縁部に、所定間隔で形成された複数のチップ取付け部を有するチップソーにおいて、前記チップ取付け部は直線状の前傾と直線状の後傾を備え、前記前傾と前記後傾とが交わる前記チップ取付け部の頂点近くの前記前傾にチップが固着され、前記前傾と前記前傾が形成された前記外周縁部との角度が９０度未満であることを特徴とする草刈り用チップソー。
【請求項２】
前記チップ取付け部の前記後傾側には鋸刃状に複数の刃が形成されていることを特徴とする請求項１に記載の草刈り用チップソー。
【発明の詳細な説明】
【技術分野】
【０００１】
本発明は、雑草、雑木、小竹等の植物を刈り払いする際に使用する草刈り用チップソーに関する。
【背景技術】
【０００２】
これまでの草刈り用チップソーは、円板状の台金の外周縁部に、所定間隔で形成された複数のチップ取付け部が形成され、その先端部にチップが取り付けられている。このチップソーを刈払い機に取り付けて回転させることにより、雑草等の草刈りを行っている。
【先行技術文献】
【特許文献】
【０００３】
【特許文献１】特開２００５−１５１９５４
【発明の概要】
【発明が解決しようとする課題】
【０００４】
しかしながら、前記特許文献１に記載の従来の草刈り用チップソーによると、多数のチップ取付部にそれぞれ固着されたチップは、草刈り時にチップが硬い草木や石や金属等に接触して刃の摩耗や損傷が起こり、徐々に草刈りの効果が失われるものであり、チップが破損した場合には、新規のチップソーと交換するしかなかった。また、草刈りを続けると、隣り合うチップ取付部間の刃室に、刈り取られた草木が挟まって絡み、スムーズな草刈りができなくなる問題があった。
【課題を解決するための手段】
【０００５】
本発明のチップソーは上記課題を解決するために、刈払機への取付け穴が穿設された円板状の台金の外周縁部に、所定間隔で形成された複数のチップ取付け部を有するチップソーにおいて、前記チップ取付け部は直線状の前傾と直線状の後傾を備え、前記前傾と前記後傾とが交わる前記チップ取付け部の頂点近くの前記前傾にチップが固着され、前記前傾と前記前傾が形成された前記外周縁部との角度が９０度未満であることを特徴とし、さらに、前記チップ取付け部の前記後傾側には鋸刃状に複数の刃が連接形成されていることを特徴とする。
【発明の効果】
【０００６】
本発明のチップソーによれば、チップ取付け部の前傾に固着されたチップと、後傾に形成された鋸刃状の複数の刃により、草木の絡みを軽減でき、常にスムーズな草刈りを行うことができるとともに、従来のチップソーに比べ経済的であり、草刈りの作業効率も格段に向上する。
【図面の簡単な説明】
【０００７】
【図１】本発明の草刈り用チップソーの平面図である。
【図２】本発明の草刈り用チップソーのチップ取付け部の拡大図である。
【実施例】
【０００８】
図１は本発明の草刈り用チップソーの平面図である。図１において、刈払機への取付け穴が穿設された円板状の台金４の外周部３には、等間隔に山型のチップ取付け部１０が設けられており、チップ取付け部１０の二つの稜線部には異なる刃が形成されている。
【０００９】
図２は本発明の草刈り用チップソーのチップ取付け部の拡大図である。図２において、台金４の外周縁部３に設けられたチップ取付け部１０の２つの稜線のうちの前傾、つまり、外周縁部３と稜線とが鋭角をなす側には、その先端部に超合金のチップ２が固着されている。また、チップ取付け部１０の２つの稜線のうちの後傾、つまり、外周縁部３と稜線とが鈍角をなす側には、鋸刃１が形成されている。
【００１０】
なお、チップ２及び鋸刃１の取付け長さは、各々チップ取付け部１０の前傾６及び後傾７の１/２以上とする。また、前傾と後傾とが交わる角度は約３５度としている。
【００１１】
本発明の草刈り用チップソーは、チップ取付け部１０の前傾６及び後傾７の両方に刃が形成されているので、一方の刃が損傷した際には台金４を裏返して使用したり、回転方向５を変えて使用すれば、損傷していない刃を使用することができる。また、後傾７に設けられた鋸刃１で草刈りを行う場合には、草刈り対象物に鋸刃１が形成された後傾７が鈍角的に当接するが、鋸刃１の複数の歯によりによりスムーズにきるとともに、刃室９への草溜まりも軽減でき、刈り払い機のエンジンへの負荷も減少する。
【産業上の利用可能性】
【００１２】
本発明は、台金のチップ取付け部にチップが固着される実施例に示すようなものに限定されることなく、各種形態のチップソーに適用できる。
【符号の説明】
【００１３】
１  鋸刃
２  チップ
３  外周縁部
４  台金
５  回転方向
６  前傾
７  後傾
８  刃先部
９  刃室
１０  チップ取付け部
【図１】
2019041693.tif 000003
【図２】
2019041693.tif 000004
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
刈払機への取付け穴が穿設された円板状の台金の外周縁部に、所定間隔で形成された複数のチップ取付け部を有するチップソーにおいて、前記チップ取付け部は直線状の前傾と直線状の後傾を稜線とする山型に形成され、前記前傾と前記後傾が交わる前記チップ取付け部の前記前傾側には、前記前傾の長さの１／２以上にチップが固着され、前記後傾側には、前記後傾の長さの１／２以上に鋸歯状の複数の歯が形成され、隣接する前記チップ取付け部の間には、直線状の前記後傾と直線状の前記前傾により形成される刃室を有することを特徴とする草刈り用チップソー。
【手続補正２】
【補正対象書類名】明細書
【補正対象項目名】０００５
【補正方法】変更
【補正の内容】
【０００５】
本発明のチップソーは上記課題を解決するために、刈払機への取付け穴が穿設された円板状の台金の外周縁部に、所定間隔で形成された複数のチップ取付け部を有するチップソーにおいて、前記チップ取付け部は直線状の前傾と直線状の後傾を稜線とする山型に形成され、前記前傾と前記後傾が交わる前記チップ取付け部の前記前傾側には、前記前傾の長さの１／２以上にチップが固着され、前記後傾側には、前記後傾の長さの１／２以上に鋸歯状の複数の歯が形成され、隣接する前記チップ取付け部の間には、直線状の前記後傾と直線状の前記前傾により形成される刃室を有することを特徴とする。
(57)【要約】【課題】防草シートを住宅の土台や壁際など垂直面に被せ、これを押え固定するときに、四角型板の長辺に自由に曲げられる薄板部を設け、これにつながる複数の四角板を設けた防草シート壁際押え板を提供する。【解決手段】四角型板（１）長辺に、自由に曲げられる薄板部（２）を設け、これにつながる小型四角板（３）を設ける。四角型板（１）にピン挿入用薄肉部（４）を設けた防草シート壁際押え板を特徴とする。【選択図】図１
2019041745.tif 000002
【特許請求の範囲】
【請求項１】
四角型板（１）長辺に、自由に曲げられる薄板部（２）を設け、これにつながる複数の四角型板（３）を設け、四角型板（１）にピン挿入用薄肉部（４）を設けた防草シート壁際押え板。
【発明の詳細な説明】
【技術分野】
【０００１】本発明は、防草シートを住宅の土台や壁際で押える板に関するものである。
【背景技術】
【０００２】休耕地や住宅回りに雑草が生えないよう防草シートを地面に張り太陽光を遮光し雑草が生えることを防止している。その際、防草シートを敷設するためにピン用い防草シートに挿して固定しているが、住宅のコンクリート土台際や壁際は防草シートを張るのが難しく、土台際や壁際と防草シートに隙間ができ、そこから雑草が多く生えている。【０００３】防草シートをピンで挿し押えるだけでは、住宅の土台際や壁際に防草シートを密着できない。その為、住宅の土台際や壁際と防草シートが離れその隙間から太陽光を差込み雑草がたくさん生えてくる。この土台際や壁際の雑草を抜き取りや、切り取る作業は非常に難しく手間を要し煩わしいのである。
【発明の概要】
【発明が解決しようとする課題】
【０００４】これは、次のような欠点があった。
従来住宅の土台際や壁際に防草シートを敷設するため防草シートにピンを挿し込みそのまま土に固定する。或いは重量物を防草シートの上に置くなどして固定していた。
しかし、この方法では土台際や壁際と防草シートに隙間ができるため容易に雑草が生えてしまう。それを手や鎌等でいちいち草刈りするのは大変面倒である。本発明は、以上のような欠点をなくすためになされたものである。
【課題を解決するための手段】
【０００５】本発明は、大きな四角型板（１）長辺につながる折り曲げ可能な薄板部（２）を設け、これにつながる小型四角型板（２）を設ける。また、大きな四角型板（１）には、ピン挿入用薄肉部（４）を設ける。
【発明の効果】
【０００６】本発明は、複数の小型四角型板を９０°に折り曲げ防草シートを住宅土台や壁際の垂直面の凹凸表面形状に沿わせ、なお且つ強く密着させ押えることが可能な自由に折り曲げできる薄板部の反発力で、防草シートと土台際や壁際に隙間ができない。また、もう一方にある大きな四角型板に設けたピン挿入用薄肉部にピンを挿し土に防草シートを強固に固定させるので太陽光をしっかり遮り土台際や壁際と平面土地の雑草の発生を防ぐのである。
【図面の簡単な説明】
【０００７】
【図１】  本発明の底面を示した説明図である。
【図２】  本発明の側面を示した説明図である。
【図３】  本発明の平面を示した説明図である。
【図４】  本発明品の使用実施図である。
【図５】  従来の防草シート使用実施図である。
【発明を実施するための形態】
【０００８】  以下、本発明を実施するための形態について説明する。
四角型板（１）長辺に、自由に曲げられる薄板部（２）を設け、これにつながる複数の小型四角型板（３）を設ける。四角型板（１）にピン挿入用薄肉部（４）を設ける。以上の形状をプラスチックで一体成形してなるものである。これを使用するときは、土台際や壁際の垂直面に立てかけた防草シートに、反発力があり自由に曲げられる薄板部を手で曲げて押し当てた状態で、ピン挿入用肉薄部に押えピンを挿し込み大きな四角型板部で地面に固定すればよい。これによりコンクリート土台際や壁際などの垂直表面に凹凸がある面に防草シートをしっかり密着させると同時に平面土地も防草シートを密着することが可能となり、これにより太陽光を遮り雑草の発生を防ぐのである。
【符号の説明】
【０００９】１  大きな四角型防草シート押え板
２  折り曲げ可能な薄板部
３  小型四角形防草シート押え板
４  ピン挿入用薄肉部
５  防草シート押えピン
６  防草シート
７  土台
８  土
９  雑草
【図１】
2019041745.tif 000003
【図２】
2019041745.tif 000004
【図３】
2019041745.tif 000005
【図４】
2019041745.tif 000006
【図５】
2019041745.tif 000007
(57)【要約】      （修正有）【課題】釣竿を置くときなどに、糸が絡まないように、針や錘やルアーなどをスピニングリールに取付けるフックの提供。【解決手段】糸が絡まないように、針や重りやルアーなどをひっかっけておく、フックキーパであり、このフックキーパをスピニングリールの足部分で、ロータ−が回転しても釣り糸が干渉しない位置に取付けることで、釣り糸を巻き取ることができる。【選択図】図３
2019041727.tif 000002
【特許請求の範囲】
【請求項１】
釣り具
【発明の詳細な説明】
【技術分野】
【０００１】
本発明は魚釣道具に関する。
【背景技術】
【０００２】
特にありません
【先行技術文献】
【非特許文献】
【０００３】
【非特許文献１】従来のフックキーパーの一例  富士工業カタログ2017  102ページ
【発明の概要】
【発明が解決しようとする課題】
【０００４】
釣りを行う際、竿を置くときなどに、糸が絡まないように、針や錘やルアーなどを引っ掛けておくのですが、従来の方法では竿のガイドに掛けたり、竿の胴の部分にルアー＆フックキーパーを取り付けて掛けていました。
竿に着けている従来のルアー＆フックキーパーには、時として釣りを行っている際、糸がそのものに引っ掛かるなどのトラブルを引き起こす。
それをスピニングリールに装着し、手元に引っ掛ける場所が来るので、より手返し良く、スムーズに釣りを行うことができる。
【課題を解決するための手段】
【０００５】
スピニングリールにおいて、糸を巻き取る際にスプールの周りをローターが旋回します、スピニングリールが糸を巻き取っても干渉しないスピニングリールの足の部分(図１）に取り付け、従来の竿に装着せずに、竿の握りの近くで針または錘またはルアーを引っ掛けて保持する。
【発明の効果】
【０００６】
本発明の目的は、特にルアー釣り、複数本の竿を使う際の持ち替えを、スムーズに行い手返し良く、さらに糸が引っ掛かるトラブルの可能性を、スピニングリールの足に取り付けることにより竿の握り手の近くに位置（図１）することで解消しております。
【図面の簡単な説明】
【０００７】
【図１】図1はルアー＆フックキーパーの取り付け位置を示したものです。
【図２】図2はスピニングリール用ルアー＆フックキーパーの設計図面です。
【図３】図3は装着例です。
【発明を実施するための形態】
【０００８】
図2は本発明の設計図面です。図面にてR０．８と表示されている２つの凹みに伸縮性のあるOリングを掛けて、スピニングリールの足の部分図2の矢印部分を一周し、Hと表示のある凹みに引っ掛けて固定する。
【実施例】
【０００９】
本発明の効果は明らかで、釣りを行う際の釣り糸が通過する部分には干渉しなくなり、竿の握り手の近くに位置することにより手返しの向上利便性も向上します。
スピニングリールの足の部分に位置することにより（図3参照）、ロータ−が回転しても釣り糸が干渉しない位置にあり、釣り糸を巻き取ることができる位置にスピニングリール用ルアー＆フックキーパーが固定されております。
【産業上の利用可能性】
【００１０】
釣り人が快適な釣り環境で出来ることにより、釣り文化の発展を期待します。
【符号の説明】
【００１１】
図2において
H…輪ゴムを引っ掛ける場所です。
R０．８…輪ゴムなどを引っ掛ける場所です。
【図１】
2019041727.tif 000003
【図２】
2019041727.tif 000004
【図３】
2019041727.tif 000005
【手続補正書】
【提出日】平成30年11月28日(2018.11.28)
【手続補正１】
【補正対象書類名】特許請求の範囲
【補正対象項目名】請求項１
【補正方法】変更
【補正の内容】
【請求項１】
釣り具のスピニングリール（釣り糸が巻きついているスプール部分自体が回転するのではなく、スプール部分は固定で、スプールの周りのベールが回転して糸を巻き取る方式のリール）につけるパーツ。
【手続補正２】
【補正対象書類名】明細書
【補正対象項目名】０００５
【補正方法】変更
【補正の内容】
【０００５】
スピニングリールにおいて、スピニングリールの足の部分(図１）に取り付け、従来の竿に装着せずに、竿の握りの近くで針または錘またはルアーを引っ掛けて保持する。
【手続補正３】
【補正対象書類名】明細書
【補正対象項目名】０００９
【補正方法】変更
【補正の内容】
【０００９】
本発明の効果は明らかで、スピニングリールの足の部分に位置することにより（図3参照）釣りを行う際の釣り糸が通過する部分には干渉しなくなり、竿の握り手の近くに位置することにより手返しの向上利便性も向上します。
(57)【要約】      （修正有）【課題】従来あったマスクは呼吸をすると鼻から蒸気を含んだ空気が形状記憶合金やスポンジなどがあってもメガネを雲らせた。メガネを曇らせないマスクを提供する。【解決手段】従来あった形状記憶合金やスポンジなどはそのままにして本発明のＬ字形のパイプを使い蒸気を含んだ空気がマスクの横の方から排出されるメガネの雲りが減って気持良くなるマスク。【選択図】図１
2019163573.tif 000002
【特許請求の範囲】
小さいメモ用紙をボンド付けをしてグルグルとパイプ状に巻きパイプを作る大きさは４〜５ｃｍで  さらにＬ字状にするためパイプを切ってそれぞれ角度４５°にして２本作るそして、パイプ、スポンジ、パイプの順にしてマスクのまん中に取り付て出来たマスク
【発明の詳細な説明】
【技術分野】
【０００１】本発明は鼻で呼吸している時  メガネとマスクをするとメガネが雲り安いと言ことに関する【０００２】
2019163573.tif 000003
を切ってＬ字形にする  これが決手である【０００３】ボンド付をしたパイプを通って蒸気を含む空気が肺から鼻へそしてパイプへそしてメガネを雲らせる
【課題を解決するための手段】
【０００４】パイプを長くしてそして横にまげたところから空気を発射するためメガネを雲らせない
【発明の効果】
【０００５】マスクで普通に呼吸をするためにメガネの雲りが実験の結果雲らない。
【図面の簡単な説明】
【０００６】
【図１】マスクの内側からの図
【図２】マスクの側面から見た断面図
【０００７】１．耳ひも
２  マスク
３  Ｌ字状のパイプ
４  頭部
５  スプンジ
【図１】
2019163573.tif 000004
【図２】
2019163573.tif 000005
(57)【要約】【課題】従来の乳児用腕枕には東部に接する部分に厚みがなく、布団に寝かしつけたときに布団の冷たさから再び起きてしまうことが多発していた。【解決手段】腕枕の、乳児の頭部にあたる部分に、乳児用の枕を縫い付けるなどして厚みを持たせることにより、布団に寝かしつけたときの温度差が発生しないようにしたものである。【選択図】図１
2019163571.tif 000002
【特許請求の範囲】
【請求項１】
乳児が眠って布団に降ろした後でも腕を脱却しやすい構造の腕枕
【請求項２】
乳児を布団に降ろした後腕を外しても、乳児頭部の枕に接する部分の温度変化がほとんどない乳児用枕付きであること。
【発明の詳細な説明】
【技術分野】
【０００１】この発明は、赤ちゃんの頭部の皮膚を保護する仕組みに関する。
【背景技術】
【０００２】乳児の皮膚はデリケートであり、乳児を抱く大人の腕には、柔軟剤や冬服の繊維などの化学物質、人により皮膚疾患のための軟膏や季節によっては虫よけスプレーなどの様々な物質に接し、良い影響があるとは思えない。その乳児専用の腕枕であれば、常に同じ環境が頭部の皮膚には提供され、皮膚の健康を保つことができる。これはそのための育児用品である。
【先行技術文献】
【特許文献】
【０００３】
【特許文献１】特開平１０−０００１４１公報
【発明の概要】
【発明が解決しようとする課題】
【０００４】しかしながら、頭部の清潔さは保たれるものの、夜泣きなどの時に寝かしつけた後、腕枕を外すことによって頭部の温度が変わって、せっかく眠った乳児を起こしてしまうこともある。そうなるとまた最初からやり直しで、親の負担は倍増してしまう。
そこで、この発明は頭部に接する部分にスポンジ状のクッションを縫い付け、布団に寝かしつけたときの環境を極力変化させないようにすることを課題とする。
【課題を解決するための手段】
【０００５】以上の課題を解決するために、第一発明は、市販のタオルを、たたんだ時に高さが約２５センチ程度になるよう筒状に縫い合わせ、ある程度腕が曲がった状態でも脱着が容易になるようにする。このことによって、乳児が寝た後でも布団に寝かしつけたときに容易に腕から取り外すことができることを特徴とする腕枕である。
また第二発明は、乳児の頭部にあたる部分に、少し厚みのあるクッションを縫い付けることによって、布団に寝かしつけた際にそのまま枕として使用でき、大人が腕を外しても乳児の頭部にあたる分の温度変化が起きにくく、乳児はそのまま眠り続けることができる腕枕である。
【発明の効果】
【０００６】    第一発明、および第二発明によれば、乳児の頭部の環境は清潔なまま保つことができ、乳児の頭部にあたる部分の温度変化が起きにくくすることで、夜泣きなどで寝かしつけたときの成功率が格段に上がる。
【図面の簡単な説明】
【０００７】
【図１】この発明の一実施形態を示す斜視図である。タオルの中心部分に乳児用の枕を縫い付ける。そのあと、たたんだ時の高さが２５センチメートル程度になるように筒状にタオルの長手方向の端を縫い合わせる。腕の太さよりかなり余裕を持たせることにより、乳児が寝た後腕を曲げた状態でも、容易に腕からこの腕枕を外すことが可能となる。
【図２】この発明を実際に使用する際は、タオルを広げて腕を通す。
【実施形態の効果】
【０００８】  この実施形態によれば、乳児を布団に降ろした後でも腕枕に接する部分の温度変化はほとんどなく、乳児は起きにくくなる。
【符号の説明】
【０００９】１  市販のタオル
２  市販の乳児用枕（スポンジ入り  もしくは少し厚めのもの）
【図１】
2019163571.tif 000003
【図２】
2019163571.tif 000004
(57)【要約】【課題】  巾着に物を入れたりその巾着で日除けする、帽子に設ける巾着とその巾着による日除けを提供する。【解決手段】帽子の頭部に巾着を設け、帽子の前部に当たる巾着を下部から縦に上部方向に両方に切り分けその部分にファスナーを設け、そして帽子の後部に当たる巾着の下部から縦に上部方向に両方に切り分けその部分にファスナーを設け、巾着の口に設けられた両方の紐を通してストッパーを設ける。  以上を特徴とする、帽子に設ける巾着とその巾着による日除け。【選択図】図１
2019163572.tif 000002
【特許請求の範囲】
【請求項１】
帽子の頭部に巾着を設け、帽子の前部に当たる巾着を下部から縦に上部方向に両方に切り分けその部分にファスナーを設け、そして帽子の後部に当たる巾着の下部から縦に上部方向に両方に切り分けその部分にファスナーを設け、巾着の口に設けられた両方の紐を通してストッパーを設ける。
以上を特徴とする、帽子に設ける巾着とその巾着による日除け。
【発明の詳細な説明】
【技術分野】
【０００１】本発明は帽子頭部に巾着を設け又、その巾着で顔回りを日除けする、帽子に設ける巾着とそれによる日除けに関するものである。
【背景技術】
【０００２】従来、海、川の遊びで衣服にポケットが無い時、頭髪の上に車のキーや財布を乗せ、そこに帽子を被りそれらの物を保管している。これは車上狙い防止のためである。
【発明の概要】
【発明が解決しようとする課題】
【０００３】イ）頭を動かすうちに頭の上を、保管する物が帽子の中をあちこち移動し、帽子の外にずり落ちてしまう。
ロ）外での遊びは顔の日焼けも気になる。
本発明は以上の問題から、貴重品がしっかりと保管出来又、気になる日焼け防止にも繋がるなるようにしたものである。
【課題を解決するための手段】
【０００４】帽子の頭部に巾着を設け、帽子の前部に当たる巾着を下部から縦に上部方向に両方に切り分けその部分にファスナーを設け、そして帽子の後部に当たる巾着の下部から縦に上部方向に両方に切り分けその部分にファスナーを設ける。巾着の口に設けられた両方の紐を通してストッパーを設ける。
以上を特徴とする、帽子に設ける巾着とその巾着による日除けである。
【発明の効果】
【０００５】帽子の巾着に安心して貴重品の保管が出来又、その巾着で顔回りの日除けができる。
【図面の簡単な説明】
【０００６】
【図１】本発明の巾着を帽子に設けた斜視図
【図２】本発明の巾着を帽子に設け、巾着を開口した状態の斜視図
【図３】本発明の使用例の正面図
【図４】本発明の使用例の側面図
【発明を実施するための形態】
【０００７】以下、本発明の実施の形態について説明する。
（イ）帽子（１）頭部に巾着（２）を設け、帽子（１）の前部に当たる巾着（２）を下部から縦に上部方向に両方に切り分けその部分にファスナー（３）を設ける。
（ロ）そして帽子（１）の後部に当たる巾着（２）を下部から縦に上部方向に両方に切り分けその部分にファスナー（３′）を設ける。
（ハ）巾着（２）の口に設けられた両方の紐（４）（４′）を通してストッパー（５）を設ける。
本発明は以上のような構成でこれを使用する時は、巾着（２）の紐（４）（４′）に通すストッパー（５）を紐（４）（４′）後部にスライドし、巾着（２）の口を締めている紐（４）（４′）を緩めて巾着（２）の口を開け、その巾着（２）の中に財布等貴重品（６）を入れる。入れたら今度は紐（４）（４′）で巾着（２）の口を締め、その部分にストッパー（５）をスライドし紐（４）（４′）を固定する。こうすると巾着（２）の中の貴重品等（６）が安心して保管出来る。又、巾着（２）に物を入れずに顔回りを日除けしたい場合は、巾着（２）の紐（４）（４′）に通すストッパー（５）を紐（４）（４′）後部までスライドし、巾着（２）の口を締めている紐（４）（４′）を緩め巾着（２）の口を大きく広げる。次に巾着（２）の前部と後部に設けるファスナー（３）（３′）を下部まで下げる。するとファスナー（３）（３′）で切り分けた両方の布が下部に垂れ下がる。この垂れ下がる布が、顔の周囲を形よく覆い顔回りの日除けとなる。
【符号の説明】
【０００８】１  帽子
２  巾着
３  ファスナー
３′  ファスナー
４  紐
４′  紐
５  ストッパー
６  貴重品
【図１】
2019163572.tif 000003
【図２】
2019163572.tif 000004
【図３】
2019163572.tif 000005
【図４】
2019163572.tif 000006